(57)【要約】【課題】  給水設備もしくは排水設備の異なった方向に延びる配管のいずれに対しても、簡単に取り付けることができる漏水受け具を提供することにある。【解決手段】漏水受け具６は、上方に開口する開口部７ａを有する受水容器７と、取付手段８と、集水器９とを備える。ここで、取付手段８は、第一の取付部１０および第二の取付部１１を備える。そして、前記受水容器７は、選択された第一の取付部１０または第二の取付部１１によって、上下方向に延びる配管としての給水本管１または横方向に延びる配管としての給水本管２５に、前記給水本管１または給水本管２５を接続部Ｊ（Ｊ１またはＪ６）から取り外すことなく取り付けられる。【選択図】  図１
2005256428.tif 000002
【特許請求の範囲】
【請求項１】
給水もしくは排水設備の接続部における漏水を受け止める、漏水受け具であって、
上方に開口する開口部を有する受水容器と、その受水容器を、前記開口部が前記接続部の下方に位置するように、前記給水もしくは排水設備の配管に、その配管を前記接続部から取り外すことなく取り付けるための取付手段とを備え、
前記取付手段は、上下方向あるいはその方向と交差する方向に延びる前記配管に対して、いずれかが任意に選択される、少なくとも第一の取付部および第二の取付部を含む複数の取付部を備えてなることを特徴とする漏水受け具。
【請求項２】
前記受水容器は、前記第一の取付部または第二の取付部によって、前記配管にその軸回り方向に回動可能に取り付けられることを特徴とする請求項１に記載の漏水受け具。
【請求項３】
前記第一の取付部は、前記開口部の開口方向と平行する方向に貫通する、前記配管が挿通される第一の挿通孔と、その第一の挿通孔と前記第一の取付部の外部とを連通する第一の連通部とを有し、
前記配管が前記第一の連通部を介して、前記第一の挿通孔に嵌め込まれることにより、前記受水容器は、前記配管に取り付けられることを特徴とする請求項１または２に記載の漏水受け具。
【請求項４】
前記第二の取付部は、前記開口部の開口方向と交差する方向に貫通する、前記配管が挿通される第二の挿通孔と、その第二の挿通孔と前記第二の取付部の外部とを連通する第二の連通部とを有し、
前記配管が前記第二の連通部を介して、前記第二の挿通孔に嵌め込まれることにより、前記受水容器は、前記配管に取り付けられることを特徴とする請求項１ないし３のいずれか１項に記載の漏水受け具。
【請求項５】
前記第二の取付部は、前記開口部の周縁部から上方に立ち上がるように延設される立設部の先端、あるいは、前記受水容器の底壁から上方に立ち上がって、前記開口部より上方に突出するように延設される立設部の先端に設けられることを特徴とする請求項４に記載の漏水受け具。
【請求項６】
前記接続部の下方であって、かつ、前記受水容器の上方に位置するように前記配管に取り付けられる、前記受水容器とは別体の集水器を備え、
その集水器は、上方に開口する集水容器部と、その集水容器部に集められた前記漏水を、前記受水容器に排出するための排出部とを有することを特徴とする請求項１ないし５のいずれか１項に記載の漏水受け具。
【請求項７】
前記集水容器部は、その開口方向と平行する方向に貫通する、前記配管が挿通される取付孔と、前記集水容器部の外部から前記取付孔に通ずる切り込みとを有し、
前記切り込みは、前記配管が、前記切り込みを通って前記取付孔に嵌まるよう開閉可能となっていることを特徴とする請求項６に記載の漏水受け具。
【請求項８】
前記集水容器部は、容器部本体と、その容器部本体が取り付けられる取付体とからなり、
前記容器部本体は、前記配管が側方から進入する窪みを備えた凹部と、係合部とを有し、
前記取付体は、前記凹部を塞ぐ覆い部と、前記係合部が係合する被係合部とを備え、
前記覆い部は、前記集水容器部の開口方向と平行する方向に貫通する、前記配管が挿通される取付孔と、前記取付体の外部から前記取付孔に通ずる切り込みとを有し、
前記切り込みは、前記取付体に前記容器部本体が取り付けられていない状態で、前記配管が、前記切り込みを通って前記取付孔に嵌まるよう開閉可能となっていることを特徴とする請求項６に記載の漏水受け具。
【請求項９】
前記集水器は、前記配管にその全周を囲むように取り付けられることを特徴とする請求項７または８に記載の漏水受け具。
【請求項１０】
前記第一の取付部は、前記開口部の開口方向と平行する方向に貫通する、前記配管が挿通される第一の挿通孔と、その第一の挿通孔と前記第一の取付部の外部とを連通する第一の連通部とを有し、
前記配管が前記第一の連通部を介して、前記第一の挿通孔に嵌め込まれることにより、前記受水容器は、前記配管にその軸回り方向に回動可能に取り付けられ、また、
前記受水容器の開口部は、その受水容器の、前記配管を軸とした少なくとも９０度の範囲のいずれの回動位置においても、前記排出部から排出される漏水を受けるように開口していることを特徴とする請求項６ないし９のいずれか１項に記載の漏水受け具。
【請求項１１】
前記受水容器には、その受水容器によって受けた前記漏水を外部に排出するための排水ホースが設けられ、
その排水ホースの先端部は、人目に付き易いところに配置されることを特徴とする請求項１ないし１０のいずれか１項に記載の漏水受け具。
【請求項１２】
前記受水容器には、その受水容器によって受けた前記漏水を外部に排出するための排水ホースが取り付けられる、ホース接続部が設けられ、
前記ホース接続部は、前記受水容器に貫通形成された排水孔に連通する連通路と、その連通路の先端側を閉塞する閉塞部とを備えることを特徴とする請求項１ないし１０のいずれか１項に記載の漏水受け具。
【発明の詳細な説明】
【技術分野】
【０００１】
この発明は、給水もしくは排水設備の接続部における漏水を受け止める、漏水受け具に関するものである。
【背景技術】
【０００２】
従来、給水設備もしくは排水設備の接続部での漏水を受けとめる漏水受け具としては、例えば、特許文献１に示される漏水用水受容器があった。この漏水用水受容器は、洗面化粧台や流し台等のキャビネット内における止水栓と供給管との接続部を覆うべく、前記キャビネット内部の下部全体を覆うように配置される、上部が開口された箱型に形成されたものであった。すなわち、この漏水用水受容器の幅および奥行きは、前記キャビネット内の寸法とほぼ同一であり、また、その上端部の高さは、前記止水栓の位置よりも高くなるように形成されていた。また、漏水用水受容器の底板には、排水管が挿通される排水用挿通孔が、漏水用水受容器の後方側の側板には、前記供給管が挿通される挿通孔が形成されていた。そして、この漏水用水受容器によれば、前記止水栓と前記供給管との接続部における漏水を受け止めることができた。
【特許文献１】特開２００３−３２５３６６号公報（図１、図２）
【発明の開示】
【発明が解決しようとする課題】
【０００３】
しかしながら、この漏水用水受容器を配置するには、供給管を挿通孔に挿通するとともに、排水管を排水用挿通孔に挿通しなければならず、キャビネット内において配管が完了した状態、すなわち、供給管と止水栓とが接続され、また、排水管が洗面ボウル等の排水口に接続された状態では、配置することができず、供給管や排水管を一端取り外す必要があり、漏水用水受容器を配置する作業は、非常に面倒であった。
【０００４】
この発明は、上記した従来の欠点を解決するためになされたものであり、その目的とするところは、給水設備もしくは排水設備の配管に、簡単に取り付けることができる漏水受け具を提供することにある。また、その他の目的は、例えば、上下方向に延びる配管や水平方向に延びる配管といった、異なった方向に延びる配管のいずれに対しても、一つのもので対応できるような漏水受け具を提供することにある。
【課題を解決するための手段】
【０００５】
この発明に係る漏水受け具は、前記目的を達成するために、次の構成からなる。すなわち、
給水もしくは排水設備の接続部における漏水を受け止める、漏水受け具であって、上方に開口する開口部を有する受水容器と、その受水容器を、前記開口部が前記接続部の下方に位置するように、前記給水もしくは排水設備の配管に、その配管を前記接続部から取り外すことなく取り付けるための取付手段とを備える。そして、前記取付手段は、上下方向あるいはその方向と交差する方向に延びる前記配管に対して、いずれかが任意に選択される、少なくとも第一の取付部および第二の取付部を含む複数の取付部を備えてなることを特徴とする。
【０００６】
このように、漏水受け具は、受水容器を配管に取り付ける際に、取付手段としての、第一の取付部および第二の取付部のいずれかを選択することにより、上下方向に延びる配管およびその方向と交差する方向に延びる配管のいずれに対しても、前記受水容器の、上方に開口する開口部が、給水もしくは排水設備の接続部の下方に位置するように取り付けられる。そして、漏水受け具は、前記接続部から漏れ落ちる漏水を受け止めることができる。また、受水容器を配管に取り付ける際には、配管を前記接続部から取り外す必要がないので、取付作業が簡単である。
【０００７】
また、請求項２に記載の漏水受け具のように、請求項１に記載の漏水受け具において、
受水容器は、前記第一の取付部または第二の取付部によって、前記配管にその軸回り方向に回動可能に取り付けられてもよい。こうして、受水容器は、配管にその軸回り方向に回動可能に取り付けられるので、受水容器を配管に取り付けた後に、開口部が接続部の下方に位置するように回動してもよいので、取付作業がさらに簡単となる。
【０００８】
また、請求項３に記載の漏水受け具のように、請求項１または２に記載の漏水受け具において、前記第一の取付部は、前記開口部の開口方向と平行する方向に貫通する、前記配管が挿通される第一の挿通孔と、その第一の挿通孔と前記第一の取付部の外部とを連通する第一の連通部とを有し、前記配管が前記第一の連通部を介して、前記第一の挿通孔に嵌め込まれることにより、前記受水容器は、前記配管に取り付けられるのが望ましい。このように、第一の挿通孔の貫通方向が、開口部の開口方向と平行していることから、受水容器は、第一の取付部によって、上下方向に延びる配管に取り付けられる。また、受水容器を配管に取り付ける際には、配管が第一の連通部を介して、第一の挿通孔に嵌め込まれるので、配管を接続部から取り外す必要がなく、その取付作業が簡単である。
【０００９】
また、請求項４に記載の漏水受け具のように、請求項１ないし３のいずれか１項に記載の漏水受け具において、前記第二の取付部は、前記開口部の開口方向と交差する方向に貫通する、前記配管が挿通される第二の挿通孔と、その第二の挿通孔と前記第二の取付部の外部とを連通する第二の連通部とを有し、前記配管が前記第二の連通部を介して、前記第二の挿通孔に嵌め込まれることにより、前記受水容器は、前記配管に取り付けられるのが望ましい。このように、第二の挿通孔の貫通方向が、開口部の開口方向と交差していることから、受水容器は、第二の取付部によって、上下方向と交差する方向に延びる配管に取り付けられる。また、受水容器を配管に取り付ける際には、配管が第二の連通部を介して、第二の挿通孔に嵌め込まれるで、配管を接続部から取り外す必要がなく、その取付作業が簡単である。
【００１０】
また、請求項５に記載の漏水受け具のように、請求項４に記載の漏水受け具において、前記第二の取付部は、前記開口部の周縁部から上方に立ち上がるように延設される立設部の先端、あるいは、前記貯水容器の底壁から上方に立ち上がって、前記開口部より上方に突出するように延設される立設部の先端に設けられることが望ましい。これによると、接続部で発生して、上下方向と交差する方向に延びる配管をつたって流れる漏水は、第二の取付部と立設部をつたって流れ、開口部から受水容器内に流れ込むので、漏水受け具は、接続部から漏れ落ちる漏水だけでなく、前記配管をつたって流れる漏水をも受け止めることができる。
【００１１】
また請求項６に記載の漏水受け具のように、請求項１ないし５のいずれか１項に記載の漏水受け具において、前記接続部の下方であって、かつ、前記受水容器の上方に位置するように前記配管に取り付けられる、前記受水容器とは別体の集水器を備え、その集水器は、上方に開口する集水容器部と、その集水容器部に集められた前記漏水を、前記受水容器に排出するための排出部とを有してもよい。こうして、集水器を、接続部の下方であって、受水容器の上方に位置するように配管に取り付けると、漏水は、集水容器によって集められ、そして、排出部を介して、受水容器に排出される。
【００１２】
また、請求項７に記載の漏水受け具のように、請求項６に記載の漏水受け具において、前記集水容器部は、その開口方向と平行する方向に貫通する、前記配管が挿通される取付孔と、前記集水容器部の外部から前記取付孔に通ずる切り込みとを有し、前記切り込みは、前記配管が、前記切り込みを通って前記取付孔に嵌まるよう開閉可能となっていることが望ましい。これによると、集水器を取り付けるに際しては、配管が切り込みを通過して、取付孔内に嵌まり込むので、配管を接続部から外す必要がなく、取付作業が容易である。
【００１３】
また、請求項８に記載の漏水受け具のように、請求項６に記載の漏水受け具において、前記集水容器部は、容器部本体と、その容器部本体が取り付けられる取付体とからなり、前記容器部本体は、前記配管が側方から進入する窪みを備えた凹部と、係合部とを有し、前記取付体は、前記凹部を塞ぐ覆い部と、前記係合部が係合する被係合部とを備え、前記覆い部は、前記集水容器部の開口方向と平行する方向に貫通する、前記配管が挿通される取付孔と、前記取付体の外部から前記取付孔に通ずる切り込みとを有し、前記切り込みは、前記取付体に前記容器部本体が取り付けられていない状態で、前記配管が、前記切り込みを通って前記取付孔に嵌まるよう開閉可能となっていてもよい。これにより、取付体の取付孔に配管を挿通させ、その取付体に容器部本体を取り付けると、集水器は、上方が開口した容器状を呈して、前記配管に取り付けられる。そして、取付孔に配管を挿通させる際には、配管が切り欠きを通過して、取付孔内に嵌まり込むので、配管を接続部から取り外す必要がないので、集水器の取付作業は、容易である。
【００１４】
また、請求項９に記載の漏水受け具のように、請求項７または８に記載の漏水受け具において、前記集水器は、前記配管にその全周を囲むように取り付けられるのが望ましい。
これにより、集水器は、配管にその全周を囲むように取り付けられるので、接続部で発生して、配管をつたい流れる漏水をも集めることができる。したがって、漏水受け具は、確実に漏水を受け止めることができる。
【００１５】
また、請求項１０に記載の漏水受け具のように、請求項６ないし９のいずれか１項に記載の漏水受け具において、前記第一の取付部は、前記開口部の開口方向と平行する方向に貫通する、前記配管が挿通される第一の挿通孔と、その第一の挿通孔と前記第一の取付部の外部とを連通する第一の連通部とを有し、前記配管が前記第一の連通部を介して、前記第一の挿通孔に嵌め込まれることにより、前記受水容器は、前記配管にその軸回り方向に回動可能に取り付けられる。また、前記受水容器の開口部は、その受水容器の、前記配管を軸とした少なくとも９０度の範囲のいずれの回動位置においても、前記排出部から排出される漏水を受けるように開口していてもよい。
【００１６】
また、請求項１１に記載の漏水受け具のように、請求項１ないし１０のいずれか１項に記載の漏水受け具において、前記受水容器には、その受水容器によって受けた前記漏水を外部に排出するための排水ホースが設けられ、その排水ホースの先端部は、人目に付き易いところに配置されてもよい。このように、受水容器で受けた漏水は、排水ホースを通って、人目に付き易いところへと排水される。したがって、漏水が発生したときには、速やかに発見することが可能となる。
【００１７】
また、請求項１２に記載の漏水受け具のように、請求項１ないし１０のいずれか１項に記載の漏水受け具において、前記受水容器には、その受水容器によって受けた前記漏水を外部に排出するための排水ホースが取り付けられる、ホース接続部が設けられ、前記ホース接続部は、前記受水容器に貫通形成された排水孔に連通する連通路と、その連通路の先端側を閉塞する閉塞部とを備えるのが望ましい。これによれば、ホース接続部の閉塞部を取り除き、ホース接続部に排水ホースを接続すると、受水容器で受けた漏水は、排水ホースを通って外部に排出される。したがって、排水ホースの先端を、人目に付き易いところに配置すると、容易に漏水を発見することができる。ところで、閉塞部を取り除かなければ、受水容器に受けた漏水は、外部に排出されることなく、受水容器内に溜められる。このように、状況に応じて、排水ホースを使用したりあるいは使用しなかったりすることができる。
【発明の効果】
【００１８】
この発明に係る漏水受け具によれば、上下方向に延びる配管およびその方向と交差する方向に延びる配管のいずれに対しても、簡単に取り付けることができる漏水受け具を提供することができる。
【発明を実施するための最良の形態】
【００１９】
以下、この発明に係る漏水受け具を実施するための最良の形態を、図面に基づいて説明する。
【００２０】
図１ないし図５は、本発明に係る漏水受け具を、洗面台あるいは流し台等のキャビネットＣの内部に配設される給水設備の接続部に使用した、一実施の形態を示す。図中符号１は、給水もしくは排水設備の配管としての、例えば、ポリエチレン管あるいはポリブデン管等の合成樹脂製の給水本管である。この給水本管１は、給水源につながっており、図示実施の形態においては、床面２から上方に立ち上がるように、すなわち、上下方向に延びるように配設されている。また、３は、止水栓、詳しくは、水の進路方向を変更しないストレート形の止水栓である。４は、湯水混合水栓等の水栓装置Ｗにつながれた給水ホースである。５ａは、給水本管１と、止水栓３とをつなぐアダプターであり、一方の端部が給水本管１に接続され、他方の端部が止水栓３に接続されている。５ｂは、止水栓３と給水ホース４とをつなぐ継手であって、一方の端部が止水栓３に接続され、他方の端部が給水ホース４に接続されている。これら止水栓３、給水ホース４、アダプター５ａおよび継手５ｂは、それぞれ給水設備の一部を構成している。６は、給水もしくは排水設備の接続部Ｊでの漏水を受け止める漏水受け具である。ここで、給水もしくは排水設備の接続部Ｊとは、図示実施の形態においては、給水本管１とアダプター５ａとの接続部Ｊ１、アダプター５ａと止水栓３との接続部Ｊ２、止水栓３と継手５ｂとの接続部Ｊ３、継手５ｂと給水ホース４との接続部Ｊ４、および、止水栓３の本体部３ａとハンドル部３ｂとの接続部Ｊ５を意味している。
【００２１】
図示実施の形態において、漏水受け具６は、上方に開口する開口部７ａを有する受水容器７と、その受水容器７を、前記開口部７ａが前記接続部Ｊ（Ｊ１〜Ｊ５）の下方に位置するように、前記給水本管１に、その給水本管１を止水栓３との接続部Ｊ１から取り外すことなく着脱可能に取り付けるための取付手段８と、前記接続部Ｊ（Ｊ１〜Ｊ５）の下方であって、かつ、前記受水容器７の上方に位置するように、前記給水本管１に取り付けられる、集水器９とを備える。ここで、取付手段８は、上下方向あるいはその方向と交差する方向に延びる配管に対して、任意に選択される（図示実施の形態においては任意に択一的に選択される）、第一の取付部１０および第二の取付部１１を備える。そして、前記受水容器７は、選択された第一の取付部１０または第二の取付部１１によって、前記配管にその軸回り方向に回動可能に取り付けられる。図示実施の形態においては、上下方向に延びる配管（給水本管１）に対しては、第一の取付部１０が選択され、受水容器７は、第一の取付部１０によって、前記給水本管１に回動可能に取り付けられる。
【００２２】
具体的には、受水容器７は、合成樹脂製、好ましくは、半透明あるいは透明な合成樹脂製であって、一側方に張り出す張出し部７ｄ、７ｄを有する底壁７ｂと、その底壁７ｂの周縁部から上方に延設される周壁７ｃとからなっており、上方に全面的に開口する、詳しくは、前記底壁７ｂと同一の形状で上方に開口する開口部７ａを有している。そして、この開口部７ａは、その受水容器７の、前記給水本管１を軸とした少なくとも９０度の範囲（図示実施の形態においては、１８０度の範囲）のいずれの回動位置においても、集水器９の後述する排出部１４から排出される漏水を受けるように開口している。具体的には、開口部７ａは、前記受水容器７が、前記給水本管１を軸として、受水容器７の長手方向と集水器９の長手方向とが一致した状態（図２において、実線で示す。）から、時計回り方向および反時計回り方向に９０度回動されたときにも、前記排出部１４から排出される漏水を受けられるようになっている（図２において、受水容器７が、時計回り方向に９０度回動された状態を一点鎖線で示し、反時計回り方向に９０度回動された状態を二点鎖線で示す。）。また、受水容器７には、その受水容器７によって受けた漏水を外部に排出するための排水ホースが取り付けられる、ホース接続部１２が設けられる。このホース接続部１２は、受水容器７の底壁７ｂに貫通形成された排水孔７ｈに連通する連通路１２ａと、その連通路１２ａの先端側を閉塞する閉塞部１２ｂとを備える。図示実施の形態においては、閉塞部１２ｂは、排水孔７ｈの周縁部から下方に延びるように延設される、円筒形状の筒壁１２ｃの先端に形成されている。ここで、前記連通路１２ａは、前記筒壁１２ｃの内部空間によって形成されている。また、筒壁１２ｃの先端近辺部分の外周には、筒壁１２ｃの厚さ方向に窪む溝部１２ｄが設けられるとともに、その溝部１２ｄよりも上方に位置する部分には、上方ほど径大となるように外方に突出する、突起部１２ｅが形成されている。
【００２３】
第一の取付部１０は、受水容器７の周壁７ｃ（詳しくは、周壁７ｃのうち前記張出し部７ｄ、７ｄ間に立設位置する側壁部７ｅ）に設けられるとともに、前記開口部７ａの開口方向と平行する方向（上下方向）に貫通する第一の挿通孔１０ａと、その第一の挿通孔１０ａと前記第一の取付部１０の外部とを連通する第一の連通部１０ｂとを有する。詳しくは、第一の取付部１０は、例えば、合成樹脂製からなり可撓性を備えるものであって、給水本管１の外径よりも小さい内径を有する短円筒形状の一側部（側壁部７ｅとは反対側の側部）が軸方向全長に渡って切り欠かれることにより、横断面略Ｃ字形状に形成された第一の本体部１０ｃと、この本体部１０ｃの両端部から一側方に延設される第一の延設片１０ｄ、１０ｄとを備えている。これら第一の延設片１０ｄ、１０ｄは、先端側ほど互いに離れるように開いている。ここで、第一の本体部１０ｃの内側が第一の挿通孔１０ａとなるとともに、第一の本体部１０ｃの両端部に挟まれた部分が第一の連通部１０ｂとなっている。また、第一の連通部１０ｂによって形成される、前記第一の本体部１０ｃの開口部Ｑ１は、第一の挿通孔１０ａの径よりも寸法が小さくなるように幅狭に形成されている。図示実施の形態においては、二つの第一の取付部１０、１０が、受水容器７の周壁７ｃ、詳しくは、側壁部７ｅに上下方向に並んで設けられている。そして、圧入によって、前記給水本管１が、前記開口部Ｑ１を押し広げるようにして前記第一の連通部１０ｂを通って、第一の挿通孔１０ａに嵌め込まれることにより、第一の取付部１０が、給水本管１を弾性的に挟持し、受水容器７は、前記給水本管１に回動可能に取り付けられるようになっている。
【００２４】
第二の取付部１１は、前記開口部７ａの周縁部（詳しくは、周壁７ｃの上端、さらに詳しくは、第一の取付部１０が設けられた側壁部７ｄと対面する周壁７ｃの上端）から立ち上がるように延設される立設部７ｆの先端に設けられるとともに、前記開口部７ａの開口方向と交差する方向（図示実施の形態においては、開口部７ａの開口方向と直交する方向である水平方向、すなわち、横方向）に貫通する第二の挿通孔１１ａと、その第二の挿通孔１１ａと前記第二の取付部１１の外部とを連通する第二の連通部１１ｂとを有している。詳しくは、第二の取付部１１は、第一の取付部１０と同様に、合成樹脂製からなり可撓性を有するものであって、給水本管１の外径より小さい内径を有する横向き短円筒形状の上部が軸方向全長に渡って切り欠かれることにより、縦断面略Ｃ字形状に形成された第二の本体部１１ｃと、この第二の本体部１１ｃの両端部から上方に延設される第二の延設片１１ｄ、１１ｄとを備えている。これら第二の延設片１１ｄ、１１ｄは、先端側ほど互いに離れるように開いている。ここで、第二の本体部１１ｃの内側が前記第二の挿通孔１１ａとなる（この第二の挿通孔１１ａの径は、前記第一の挿通孔１０ａの径と同一となっている。）とともに、第二の本体部１１ｃの両端部に挟まれた部分が第二の連通部１１ｂとなっている。また、第二の連通部１１ｂによって形成される、前記第二の本体部１１ｃの開口部Ｑ２は、第二の挿通孔１１ａの径よりも寸法が小さくなるように幅狭に形成されている。そして、圧入によって、前記給水本管１と交差する方向（図示実施の形態においては、上下方向と直交する横方向）に延びる配管としての、後述する給水本管２５が、前記開口部Ｑ２を押し広げるようにして前記第二の連通部１１ｂを通って、第二の挿通孔１１ａに嵌め込まれることにより、第二の取付部１１が、前記給水本管２５を弾性的に挟持し、受水容器７は、前記給水本管２５に回動可能に取り付けられるようになっている。
【００２５】
集水器９は、上方に開口する集水容器部１３と、その集水容器部１３に集められた、前記接続部Ｊ（Ｊ１〜Ｊ５）からの漏水を、前記受水容器７に排出するための排出部１４とを有する。集水容器部１３は、その開口方向と平行する方向に貫通する、前記給水本管１が挿通される取付孔１３ａと、集水容器部１３の外部から前記取付孔１３ａに通ずる切り込み１３ｂを有している。ここで、前記切り込み１３ｂは、前記給水本管１の径よりも大きく開くことができるように開閉可能となっており、給水本管１が切り込み１３ｂを介して、取付孔１３ａに嵌め込まれることにより、前記集水器９は、給水本管１にその全周を囲むようにして着脱可能に取り付けられる。詳しくは、集水器９は、例えば、発泡性の合成ゴム等の柔軟性を備えた合成樹脂素材によって、前記受水容器７とは別体に形成される。そして、前記集水容器部１３は、平面視略矩形形状（図示実施の形態においては、長方形形状）の底板部１３ｃと、その底板部１３ｃの周縁部から上方に立ち上がるように立設される、外周壁部１３ｄと、前記底板部１３ｃの中央近辺から前記外周壁部１３ｄよりも高く上方に立ち上がるように突設される、円筒状の突設部１３ｅ（図示実施の形態においては、突設部１３ｅは、下部突設部１３ｆと、その下部突設部１３ｆよりも径小な上部突設部１３ｇとからなる。）とを有し、上方に開口している。そして、この突設部１３ｅの内側には、集水器９の開口方向と平行する方向、すなわち、上下方向に貫通する、取付孔１３ａが形成されている。図示実施の形態においては、取付孔１３ａは、径の異なる複数の取付孔からなる。詳細には、取付孔１３ａは、前記給水本管１の外径と同一もしくは若干小さな径を有する、第一取付孔１３ｉと、その第一取付孔１３ｉより径大で、かつ、後述する給水本管２０の外径と同一もしくは若干小さな径を有する、前記第一取付孔１３ｉの下端部とつながる第二取付孔１３ｈとからなっている。また、切り込み１３ｂは、集水容器部１３の外部から前記取付孔１３ａに通ずるように、外周壁部１３ｄ、底板部１３ｃ、および、突設部１３ｅの一側部を横断するように設けられている。また、排出部１４は、前記集水容器部１３内と連通する排出路１４ａを備えて、前記底板部１３ｃから下方に向かって突設されている。
【００２６】
次に、以上の構成からなる漏水受け具６の作用効果について説明する。まず、漏水受け具６の受水容器７を給水本管１に取り付け、漏水受け具６の集水器９を前記受水容器７の上に載せ置くようにして給水本管１に取り付ける。詳しくは、漏水受け具６の集水器９は、給水本管１に、その給水本管１とアダプター５ａとの接続部Ｊ１のすぐ下方で、取り付けられる。このとき、集水器９の集水容器部１３に設けられた切り込み１３ｂは、給水本管１の径より大となるように拡開することができ、給水本管１は、切り込み１３ｂを通過して、前記取付孔１３ａ内、詳しくは、第一取付孔１３ｉ内に嵌め込まれる。そして、切り込み１３ｂが、閉じた状態に復帰することで、集水容器部１３は、給水本管１にその全周を囲むように取り付けられる。したがって、給水本管１を、止水栓３との接続部Ｊ１から取り外すことなく、集水器９を取り付けることができるので、集水器９の取付作業は、簡単である。ところで、集水器９は、上方に開口し、かつ、取付孔１３ａが上下方向に貫通形成されていることから、上下方向に延びる給水本管１に取り付けられると、集水器９は、上方に開口するので、上方の接続部Ｊ（Ｊ１〜Ｊ５）からの漏水を集めることができる。さらに、集水器９は、給水本管１と同一もしくは若干小さな径の第一取付孔１３ｉによって、給水本管１の全周を囲うように取り付けられることから、接続部Ｊ（Ｊ１〜Ｊ５）で発生して、給水本管１をつたい流れる漏水をも集めることができるので、接続部Ｊ（Ｊ１〜Ｊ５）からの漏水を確実に集めることができる。こうして集められた漏水は、排出部１４を介して下方に排出される。
【００２７】
一方、漏水受け具６の受水容器７は、給水本管１に、前記集水器９よりも下方の位置で、かつ、開口部７ａが排出部１４の下方に位置するように、取り付けられる。図示実施の形態においては、取付手段８として、第一の取付部１０を選択し、この第一の取付部１０を給水本管１に押し当てるようにすると、第一の取付部１０の第一の延設部１０ｄ、１０ｄが、給水本管１によって、相対的に押圧される。これにより、第一の連通部１０ｂすなわち開口部Ｑ１の間隔が拡開されるので、給水本管１は、第一の連通部１０ｂを通過して、第一の挿通孔１０ａ内に嵌まり込むことができる。このように、給水本管１が第一の連通部１０ｂを介して、第一の挿通孔１０ａに圧入によって嵌め込まれることにより、受水容器７は、給水本管１に、その軸回り方向に回動可能で、かつ、着脱可能に取り付けられる。したがって、給水本管１を、アダプター５ａとの接続部Ｊ１から取り外すことなく、受水容器７を取り付けることができるので、受水容器１０の取付作業は、簡単である。ところで、受水容器７は、上方に開口し、かつ、第一の挿通孔１０ａが上下方向に貫通形成されていることから、上下方向に延びる給水本管１に取り付けられると、受水容器７は、上方に開口することとなり、開口部７ａを排出部１４の下方に位置させることで、集水器９で集められて、排出部１４から排出される漏水を受けることができる。ここで、受水容器７は、給水本管１にその軸回り方向に回動可能に取り付けられるので、開口部７ａを排出部１４の下方に位置させるには、受水容器７を給水配管１に取り付けた後に、回動してもよいので、取付作業が簡単である。また、受水容器７は、半透明あるいは透明な合成樹脂製であるので、受水容器７が受けた漏水を容易に視認することができるので、漏水の発生を容易に確認できる。
【００２８】
図示実施の形態に示す漏水受け具６は、前記給水本管１と異なった径を有する配管にも取り付けることができ、その使用例を図６に示す。
【００２９】
図６において、２０は、給水もしくは排水設備の配管としての、例えば、金属製からなる給水本管であり、前記給水本管１よりも大きな外径となっている。この給水本管２０は、給水源につながっており、床面２から上方に立ち上がるように、すなわち、上下方向に延びるように配設されている。そして、この給水本管２０の一端は、止水栓３に接続されている。
【００３０】
この給水本管２０に、受水容器７を、給水もしくは排水設備の接続部Ｊ（止水栓３と継手５ｂとの接続部Ｊ３、継手５ｂと給水ホース４との接続部Ｊ４、止水栓３の本体部３ａとハンドル部３ｂとの接続部Ｊ５、および、給水本管２０と止水栓３との接続部Ｊ６）の下方に位置するよう取り付けるには、取付手段８として、第一の取付部１０を選択する。ここで、第一の取付部１０は、可撓性を備えているので、前記第一の取付部１０を給水本管２０に押し当てるようにすると、第一の取付部１０の第一の延設部１０ｄ、１０ｄが、給水本管２０によって、相対的に押圧されて、第一の連通部１０ｂすなわち開口部Ｑ１の間隔が給水本管２０の外径以上に拡開されことから、給水本管２０は、第一の連通部１０ｂを通過して、第一の挿通孔１０ａ内に嵌まり込むことができる。このように、給水本管２０が第一の連通部１０ｂを介して、第一の挿通孔１０ａに圧入によって嵌め込まれることにより、受水容器７は、給水本管２０に、その軸回り方向に回動可能で、かつ、着脱可能に取り付けられる。
【００３１】
また、集水器９を前記給水本管２０に取り付けるには、まず、集水容器部１３の突設部１３ｅに形成された第一取付孔１３ｉおよび第二取付孔１３ｈのうち、第二取付孔１３ｈのみを残すようにして、突設部１３ｅの上端部分（詳しくは、上部突設部１３ｇと、下部突設部１３ｆとの境界部分）を切断等によって取り除く。そして、突設部１３ｅの上端部分が取り除かれた前記集水容器部１３を、前記給水本管２０に取り付ける。このとき、集水容器部１３に設けられた切り込み１３ｂは、給水本管２０の径より大となるように拡開することができ、給水本管２０は、切り込み１３ｂを通過して、前記取付孔１３ａ内、詳しくは、第二取付孔１３ｈ内に嵌め込まれる。そして、切り込み１３ｂが、閉じた状態に復帰することで、集水容器部１３は、給水本管２０にその全周を囲むように取り付けられる。このように、集水容器部１３の取付孔１３ａは、径の異なる二つの取付孔（第一取付孔１３ｉおよび第一取付孔１３ｈ）とからなるので、外径の異なる二つの配管（給水本管１および給水本管２０）のいずれにも取り付けることができる。
【００３２】
したがって、受水容器７および集水器９は、合成樹脂製の給水本管１だけでなく金属製の給水本管２０にも取り付けることができる。また、その取り付けに際して、給水本管２０を、止水栓３との接続部Ｊ６から取り外す必要がないので、漏水受け具６（受水容器７および集水器９）の取付作業は、簡単である。
【００３３】
図示実施の形態に示す漏水受け具６の受水容器７は、上下方向に延びる給水本管１、２０に取り付けられるだけではなく、上下方向と交差する方向に延びる配管にも取り付けることができ、その使用例を図７に示す。
【００３４】
図７において、２５は、給水もしくは排水設備の配管としての、例えば、金属製からなる給水本管であり、前記給水本管２０と同一の外径となっている。この給水本管２５は、給水源につながっており、壁面２６から前方に突き出るように、すなわち、上下方向と交差する方向である横方向（水平方向）に延びるように配設されている。また、２７は、止水栓、詳しくは、水の進路方向を直角に変更するアングル形の止水栓であり、前記給水本管２５に接続されている。
【００３５】
受水容器７を、前記給水本管２５に、開口部７ａが給水もしくは排水設備の接続部Ｊ（給水本管２５と止水栓２７との接続部Ｊ６、止水栓２７と継手５ｂとの接続部Ｊ３、継手５ｂと給水ホース４との接続部Ｊ４、および、止水栓２７の本体部２７ａとハンドル部２７ｂとの接続部Ｊ５を意味している。）の下方に位置するように取り付けるには、取付手段８として、第二の取付部１１を選択し、この第二の取付部１１を給水本管２５に押し当てるようにすると、第二の取付部１１の第二の延設部１１ｄ、１１ｄが、給水本管２５によって、相対的に押圧される。これにより、第二の連通部１１ｂすなわち開口部Ｑ２の間隔が拡開されるので、給水本管２５は、第二の連通部１１ｂを通過して、第二の挿通孔１１ａ内に嵌まり込むことができる。このように、給水本管２５が第二の連通部１１ｂを介して、第二の挿通孔１１ａに圧入によって嵌め込まれることにより、受水容器７は、給水本管２５に、その軸回り方向に回動可能で、かつ、着脱可能に取り付けられる。したがって、給水本管２５を、止水栓２７との接続部Ｊ６から取り外すことなく、受水容器７を取り付けることができるので、受水容器７の取付作業は、簡単である。ところで、第二の挿通孔１１ａが、開口部７ａの開口方向と交差する方向である横方向（水平方向）に貫通形成されており、かつ、第二の取付部１１が開口部７よりも上方にあることから、受水容器７は、横方向（水平方向）に延びる給水本管２５に取り付けられると、開口部７ａは、接続部Ｊ（Ｊ３〜Ｊ６）の下方に位置することとなり、接続部Ｊ（Ｊ３〜Ｊ６）からの漏水を受けることができる。ここで、受水容器７は、給水本管２５にその軸回り方向に回動可能に取り付けられるので、開口部７ａが接続部Ｊ（Ｊ３〜Ｊ６）の下方となるように受水容器７を給水本管２５に取り付けるには、受水容器７の第二の取付部１１を給水本管２５の下方から上方に向かって圧入するばかりでなく、例えば、給水本管２５の側方から圧入するようにして取り付け、その後、開口部７ａが接続部Ｊ（Ｊ３〜Ｊ６）の下方になるように、受水容器７を前記軸回り方向に回動してもよい。また、第二の取付部１１が立設部７ｆの先端に設けられることから、接続部Ｊ（Ｊ３〜Ｊ６）で発生して、給水本管２５をつたって流れる漏水は、第二の取付部１１と、立設部７ｆをつたって流れ、開口部７ａから受水容器７内に流れ込む。したがって、受水容器７は、接続部Ｊ（Ｊ３〜Ｊ６）から漏れ落ちる漏水だけでなく、給水本管２５をつたって流れる漏水をも受け止めることができる。なお、第二の挿通孔１１ａの径は、前述のとおり、第一の挿通孔１０ａの径と同一であるので、給水本管２５よりも径小な配管、すなわち、給水本管１と同一の径を有する配管にも取り付けることができることは言うまでもない。
【００３６】
また、漏水受け具６は、受水容器７は、ホース接続部１２を有しているので、そのホース接続部１２に排水ホース１５を取り付けて使用することも可能である。図８および９に、その使用例を示す。
【００３７】
図８および９は、給水設備の大部分が隠蔽されているような、キャビネットＣにおいて、その給水設備の接続部に、漏水受け具６を使用する例を示している。図中符号３０は、キャビネットＣ内に配設された給水設備を外部から見えなくするように覆い隠す、隠蔽壁である。この隠蔽壁３０には、前記給水設備の接続部Ｊの前方に位置する部分に、給水設備の点検をするための点検口３１が設けられている。この点検口３１には、取り外し可能な閉塞蓋３２が設けられており、この閉塞蓋３２を取り外すことで、点検口３１から、給水設備を確認できる。
【００３８】
まず、受水容器７のホース接続部１２の閉塞部１２ｂを取り除き（図示実施の形態においては、円筒形状の筒壁１２ｃの下端部分、好ましくは、溝部１２ｄを切断するか、あるいは、閉塞部１２ｂに下方から貫通孔を開ける）、排水ホース１５を嵌め込むようにして、排水ホース１５を接続する。ここで、ホース接続部１２には、突起部１２ｅが設けられており、この突起部１２ｅが排水ホース１５に食いつくので、排水ホース１５は、確実に接続される。
【００３９】
次に、漏水受け具６を、給水本管１に取り付ける。このとき、給水設備の前方は、閉塞蓋３２によって、前方が塞がれているので、その閉塞蓋３２を取り外す。そして、漏水受け具６の集水器９を、接続部Ｊ（給水本管１とアダプター５ａとの接続部Ｊ１、アダプター５ａと止水栓３との接続部Ｊ２、止水栓３と継手５ｂとの接続部Ｊ３、継手５ｂと給水ホース４との接続部Ｊ４、および、止水栓３の本体部３ａとハンドル部３ｂとの接続部Ｊ５）の下方に位置するように取り付ける。さらに、排水ホース１５が接続された受水容器７を、第一の取付部１０によって、給水本管１に取り付ける。このとき、受水容器７は、その長手方向と集水器９の長手方向とが一致する状態（図９において、一点鎖線で示す。）から、給水本管１を軸として、反時計回り方向に９０度回動されている。詳しくは、受水容器７は、底壁７ｂの張出し部７ｄの上方に位置する開口部７ａが、集水器９の排出部１４の下方に位置するように、回動されている（図９において、実線で示す。）。これは、給水本管１と閉塞蓋３２との離間距離が、受水容器７の長手方向の寸法よりも短いために、受水容器７を、その長手方向と集水器９の長手方向とが一致する状態で取り付ける（図９において、一点鎖線で示す。）ことができないためである。もちろん、受水容器７を、その長手方向と集水器９の長手方向とが一致する状態（図９において、一点鎖線で示す。）から、給水本管１を軸として、時計回り方向に９０度回動させることもできる。このように、前記受水容器７の開口部７ａは、前記受水容器７の、前記給水本管１を軸とした１８０度の範囲のいずれの回動位置においても、前記排出部１４と対面して、前記排出部１４から排出される漏水を受けるように開口形成されているので、受水容器７の回りに障害物があるような場合であっても、その障害物を避けるようにして取り付けることができる。
【００４０】
最後に、例えば閉塞蓋３２に排水ホース１５が通る程度の取出孔３３を穿設し、その取出孔３３に排水ホース１５の先端を通すようにして、閉塞蓋３２を取り付ける。そして、排水ホース１５の先端を、人目の付き易いところに配置したコップ等の容器１６に入れる。
【００４１】
これによれば、集水器９で集めた漏水は、排出部１４を介して受水容器７に排出され、そして、受水容器７の排水孔７ｈ、連通路１２ａおよび排水ホース１５を介して、容器１６内に排出される。このように、外部から容易に視認できない場所に配設された給水設備の接続部Ｊ（Ｊ１〜Ｊ５）で発生した漏水であっても、排水ホース１５を介して外部に排出させることで、容易に確認することができる。
【００４２】
なお、本発明は、上述した実施の形態に限定されるわけではなく、その他種々の変更が可能である。漏水受け具６は、洗面台あるいは流し台等のキャビネットの内部に配設される給水設備の接続部において限定的に使用されるものではない。また、漏水受け具６は、給水設備の接続部における漏水を受け止めるために使用されるだけでなく、排水設備の接続部における漏水を受け止めるために使用されてもよい。また、給水設備の配管は、給水本管１、２０、２５に限定されるわけではなく、給湯本管であってもよく、そして、漏水受け具６は、この給湯本管に取り付けられるものであってもよい。
【００４３】
また、漏水受け具６を、床面２から立ち上がるように、すなわち、上下方向に延びるように配設された配管に取り付けるに際しては、必ずしも、集水器９を取り付ける必要はない。したがって、この場合においては、漏水受け具６は、集水器９を備えないものとなる。
【００４４】
また、漏水受け具６は、図１０に示すように、給水もしくは排水設備の配管（給水本管１）が傾斜した状態で上下方向に延びている場合にも取り付けて使用することができる。また、その傾斜方向は、図１０に示すような前方への傾きに限らず、様々な方向への傾きであっても構わない。同様に、上下方向と交差する方向に延びる配管についても、必ずしも水平方向に延びるように配設された配管に限られず、傾斜した状態で横方向に延びるように配設された配管に対しても、この漏水受け具６を取り付けて使用することができる。
【００４５】
また、漏水受け具６を上下方向に対して交差する方向である横方向（水平方向）に延びる配管（給水本管２５）に取り付けるに際して、図１１に示すように、集水器９を給水本管２５にその全周を囲うように取り付けてもよい。このとき、集水器９は、第二の取付部１１よりも止水栓２７寄りの位置に取り付けられるのが好ましい。これによれば、給水設備の接続部Ｊ（Ｊ３〜Ｊ６）で発生して、給水本管２５をつたい流れる漏水は、集水器９によって、受け止められ、その受け止められた前記漏水は、開口部７ａから受水容器７内に流れ落ちる。したがって、受水容器７は、接続部Ｊ（Ｊ３〜Ｊ６）から漏れ落ちる漏水だけでなく、給水本管２５をつたって流れる漏水をも受け止めることができ、確実に漏水を受け止めることができる。さらには、給水本管２５が完全に水平でない場合、すなわち、壁面２６側ほど低くなるように傾斜する場合であっても、漏水を確実に受け止めることができる。
【００４６】
また、漏水受け具６の取付手段８は、第一の取付部１０および第二の取付部１１以外に、第三の取付部あるいはその他の取付部等の、いずれかが任意に選択される複数の取付部を備えても構わない。
【００４７】
また、第一の取付部１０および第二の取付部１１は、例えば、給水本管１、２０、２５を挟持することができるような湾曲挟持部を備えた、クリップ類等の取付手段から構成されてもよく、図示実施の形態に示す形状および構造のものに限定されるわけではない。また、第一の取付部１０は、必ずしも、二つ設けられる必要はなく、一つだけ設けられてもよいし、あるいは、三つ以上の複数個設けられてもよい。同様に、第二の取付部１１は、必ずしも一つだけに限られるものでなく、二つ以上の複数個設けられてもよい。
【００４８】
また、排水ホース１５は、図示実施の形態のように、ホース接続部１４に着脱可能に接続されるものである必要はなく、受水容器７に固着されていてもよい。なお、受水容器７にホース接続部１４が設けられているのは、漏水受け具６を使用する場所に応じて、受水容器７に排水ホース１５を取り付けて使用したり、あるいは、排水ホース１５を取り付けずに使用したりできるようにするために設けられるものであり、排水ホース１５を取り付ける必要がないのであれば、ホース接続部１４は、設けられなくてもよい。
【００４９】
また、受水容器７の開口部７ａは、前記受水容器７の、配管（給水本管１、２０）を軸とした少なくとも９０度の範囲のいずれの回動位置においても、排出部１４から排出される漏水を受けるように開口形成されていればよく、図示実施の形態のように、１８０度の範囲のいずれの回動位置においても、排出部１４から排出される漏水を受けるように開口形成されている必要はない。
【００５０】
また、集水器９の集水容器部１３の取付孔１３ａは、図示実施の形態においては、径の異なる二つの取付孔（第一取付孔１３ｉおよび第二取付孔１３ｈ）からなっているが、これは、集水容器部１３を二つの異なる径の配管のいずれにも取り付けることができるようにするためであって、異なる径の配管に取り付ける必要がないのであれば、複数の取付孔からなる必要はない。また、取付孔１３ａは、三つ以上の複数の取付孔からなってもよい。さらに、集水器９の集水容器部１３の取付孔１３ａは、必ずしも円筒状の突設部１３ｅの内側に形成されるものに限定されるわけでなく、例えば、底板部１３ｃに貫通形成される孔からなるものであっても構わない。
【００５１】
また、集水器９の集水容器部１３は、図１２ないし図１５に示すように、容器部本体１６と、その容器部本体１６が取り付けられる取付体１７とからなってもよい。ここで、前記容器部本体１６は、給水もしくは排水設備の配管としての給水本管１（２０）が側方から進入する窪みを備えた凹部１６ｄと、係合部１６ａとを有する。また、前記取付体１７は、前記凹部１６ｄを塞ぐ覆い部１７ｅと、前記係合部１６ａが係合する被係合部１７ｃとを備える。そして、前記覆い部１７ｅは、前記集水容器部１３の開口方向と平行する方向に貫通する、前記給水本管１（２０）が挿通される取付孔１７ａと、前記取付体１７の外部から前記取付孔１７ａに通ずる切り込み１７ｂとを有している。そして、この切り込み１７ｂは、前記取取付体１７に前記容器部本体１６が取り付けられていない状態で、前記給水本管１（２０）が、前記切り込み１７ｂを通って前記取付孔１７ａに嵌まるよう開閉可能となっている。
【００５２】
詳しくは、容器部本体１６は、例えば、合成樹脂製であって、底板部１６ｂと、その底板部１６ｂの周縁部にて上方に立ち上がるように立設される外周壁部１６ｃと、外周壁部１６ｃの一側部Ｍから内側に向かって延びる、長孔状の凹部１６ｄと、凹部１６ｄの周縁部にて、上方に立ち上がるように立設される内周壁部１６ｅとを有している。ここで、前記凹部１６ｄの幅寸法Ｌは、前記給水本管１（２０）の外径寸法よりも大となっており（図示実施の形態においては、取付体１７の後述する筒部１７ｄの外径と同一寸法あるいはほぼ同一寸法となっている。）、また、前記内周壁部１６ｅの高さは、前記外周壁部１６ｃよりも低く形成されている。ここで、内周壁部１６ｅの一部、詳しくは、凹部１６ｄの奥側に位置する部分（図示実施の形態においては、内周壁部１６ｅのうち、円弧状に形成されている部分）が、凸状の前記係合部１６ａとなっている。
【００５３】
一方、取付体１７は、例えば、ＥＰＤＭ（エチレンプロピレンゴム）とかのゴム素材等の柔軟性を備えた素材によって、前記容器部本体１６とは別体に形成される。この取付体１７は、前記容器部本体１６の前記凹部１６ｄ内に収まるほどの外径および高さを備えた円筒状の筒部１７ｄと、その筒部１７ｄの中間外周部の一側方を円弧状に囲むとともに、他側方に向かって長く延びるように延出形成された覆い部１７ｅとを有する。そして、筒部１７ｄの内側には、集水器９の開口方向と平行する方向、すなわち、上下方向に貫通する取付孔１７ａが形成されている。図示実施の形態においては、取付孔１７ａは、径の異なる複数の取付孔からなる。詳細には、取付孔１７ａは、前記給水本管１の外径と同一もしくは若干小さな径を有する、第一取付孔１７ｉと、その第一取付孔１７ｉより径大で、かつ、前記給水本管２０の外径と同一もしくは若干小さな径を有する、前記第一取付孔１７ｉの上端部とつながる第二取付孔１７ｈとからなっている。また、切り込み１７ｂは、前記取付体１７の外部から前記取付孔１７ａに通ずるように、前記筒部１７ｄおよび前記覆い部１７ｅの一側部を横断するように設けられている。また、前記覆い部１７ｅは、前記容器部本体１６が取付体１７に取付けられたときに、前記凹部１６ｄを全面的に塞ぐことができるように、前記凹部１６ｄよりも一回り大きく形成されている。そして、覆い部１７ｅの他側部には、上方に立ち上がるように突設される立壁部１７ｆが形成される。この立壁部１７ｆの上端部は、前記容器部本体１６が取付体１７に取り付けられたときに、容器部本体１６の外周壁部１６ｃの上端部と高さがほぼ一致する（一致する場合も含む）ようになっている。また、覆い部１７ｅの裏面には、凸状の前記係合部１６ａが嵌まり込む凹状の被係合部１７ｃが形成されている。ここで、被係合部１７ｃは、覆い部１７ｅの、前記他側部を除く周縁部から下方に向かって突設される、突出部１７ｇの円弧状突出部分と前記筒部１７ｄの間に形成される、溝部１７ｍからなっている。なお、排出部１４は、前記集水容器部１３内と連通する排出路１４ａを備えて、前記容器部本体１６の底板部１６ａから下方に向かって突設されている。
【００５４】
この集水器９を、給水本管１に取り付けるには、まず取付体１７を前記給水本管１に取り付ける。このとき、切り込み１７ｂは、給水本管１の径よりも大となるように拡開することができ、給水本管１は、切り込み１７ｂを通過して、前記取付孔１７ａ内、詳しくは、第一取付孔１７ｉ内に嵌め込まれる。そして、切り込み１７ｂが、閉じた状態に復帰することで、取付体１７は、給水本管１にその全周を囲むように取り付けられる。したがって、給水本管１を接続部Ｊ（詳しくは、アダプター５ａとの接続部Ｊ１）から取り外すことなく、取付体１７を取り付けることができるので、取付体１７の取付作業は、簡単である。次に、容器部本体１６を前記取付体１７に取り付ける。詳しくは、給水本管１を凹部１６ｄの奥側へと進入させるようにして、容器部本体１６を取付体１７の下方に位置させる。その後、容器部本体１６を上方に移動させて（あるいは、前記取付体１７を下方に移動させて）、容器部本体１６に設けられた前記係合部１６ａ（詳しくは、内周壁部１６ｅの一部）の先端部を、前記取付体１７の底面に設けられた被係合部１７ｃ（詳しくは、溝部１７ｍ）に嵌め込むようにする。これにより、係合部１６ａが被係合部１７ｃに係合して、容器部本体１６は、取付体１７に取り付けられる。このように、容器部本体１６が取付体１７に取り付けられることにより、集水器９は、上方が開口した容器状を呈して、前記給水本管１にその全周を囲むようにして着脱可能に取り付けられる。
【００５５】
かくして、取付体１７を給水本管１に取り付け、その取付体１７に容器部本体１６を取り付けることにより、集水器９は、給水本管１にその全周を囲うように取り付けられるので、接続部Ｊ（Ｊ１〜Ｊ５）から漏れ落ちる漏水だけでなく、前記接続部Ｊ（Ｊ１〜Ｊ５）で発生して、給水本管１をつたい流れる漏水をも集めることができる。こうして集められた漏水は、排出部１４を介して受水容器７に排出される。なお、取付体１７を給水本管１に取り付けるとき、および、容器部本体１６を取付体１７に取り付けるときのいずれのときにも、給水本管１を前記接続部Ｊから取り外す必要がないので、集水器９の取付作業は容易である。また、取付孔１７ａは、径の異なる二つの取付孔（第一取付孔１７ｉおよび第二取付孔１７ｈ）からなるので、径の異なる二つの配管（給水本管１および給水本管２０）のいずれにも取り付けることができる。詳しくは、取付部１７の筒部１７ｄに形成された第一取付孔１７ｉおよび第二取付孔１７ｈのうち、第二取付孔１７ｈのみを残すようにして、筒部１７ｄの下端部分を切断等によって取り除くことにより、給水本管１より径大な給水本管２０に取り付けることができる。
【００５６】
なお、係合部１６ａおよび被係合部１７ｃの形態は、図示実施の形態に示すものに限定されない。例えば、凸状の係合部１６ａが取付体１７に設けられ、その凸状の係合部１６ａが嵌まり込む凹状の被係合部１７ｃが容器部本体１６に設けられてもよいし、さらに、係合部１６ａは、凹部１６ｄの周縁部にピン状に突出形成される突出ピンからなり、一方の被係合部１７ｃは、覆い部１７ｅの前記突出ピンと対応する位置に、前記突出ピンが嵌入されるように貫通形成される貫通孔からなってもよい。
【００５７】
また、取付体１７の取付孔１７ａは、取付体１７を異なる径の配管に取り付ける必要がないのであれば、複数の取付孔からなる必要はない。また、取付孔１７ａは、三つ以上の複数の取付孔からなってもよい。
【００５８】
また、第二の取付部１１は、必ずしも、周壁７ｃの上端から立ち上がるように延設される立設部７ｆの先端に設けられる必要はない。例えば、第二の取付部１１は、受水容器７の底壁７ｂから上方に立ち上がって、前記受水容器７の開口部７ａより上方に突出するように延設される立設部７ｆの先端に設けられてもよい（図１２および図１３において、二点鎖線で示す。）。これによると、受水容器７を、例えば、図７に示したような、水平方向に延びる配管（給水本管２５）に取り付けて使用すると、接続部Ｊ（Ｊ３〜Ｊ６）で発生して、給水本管２５をつたって流れる漏水は、第二の取付部１１と、立設部７ｆをつたって流れ、開口部７ａから受水容器７内に流れ込わけであるが、立設部７ｆが受水容器７の底壁７ｂから立ち上がっているので、漏水が立設部７ｆの裏面や側面をつたい流れるときにも、その漏水を確実に受水容器７に流れ込ませることができる。したがって、受水容器７は、接続部Ｊ（Ｊ３〜Ｊ６）から漏れ落ちる漏水だけでなく、給水本管２５をつたって流れる漏水をも受け止めることができ、確実に漏水を受け止めることができる。さらには、給水本管２５が完全に水平でない場合、すなわち、壁面２６側ほど低くなるように傾斜する場合であっても、漏水を確実に受け止めることができる。
【図面の簡単な説明】
【００５９】
【図１】この発明の一実施の形態の、漏水受け具の使用例を示す、一部を破断した側面図である。
【図２】同じく、図１における、Ａ−Ａ線断面図である。
【図３】同じく、集水器の平面図である。
【図４】同じく、受水容器の平面図である。
【図５】同じく、受水容器の左側面図である。
【図６】この発明の一実施の形態の、漏水受け具の他の使用例を示す、一部を破断した側面図である。
【図７】この発明の一実施の形態の、漏水受け具のさらに他の使用例を示す、一部を破断した側面図である。
【図８】この発明の一実施の形態の、漏水受け具のさらに他の使用例を示す、側面図である。
【図９】同じく、Ｂ−Ｂ線断面図である。
【図１０】この発明の一実施の形態の、漏水受け具のさらに他の使用例を示す、一部を破断した側面図である。
【図１１】この発明の一実施の形態の、漏水受け具のさらに他の使用例を示す、一部を破断した側面図である。
【図１２】この発明の他の実施の形態の、漏水受け具の使用例を示す、一部を破断した側面図である。
【図１３】同じく、Ｃ−Ｃ線断面図である。
【図１４】同じく、取付体の底面図である。
【図１５】同じく、容器部本体の平面図である。
【符号の説明】
【００６０】
１、２０、２５    給水本管（配管）
６    漏水受け具                      ７    受水容器
７ａ  開口部                          ７ｂ  底壁
８    取付手段                        ９    集水器
１０  第一の取付部                    １０ａ  第一の挿通孔
１０ｂ  第一の連通部                  １１  第二の取付部
１１ａ  第二の挿通孔                  １１ｂ  第二の連通部
１２  ホース接続部                    １２ａ  連通路
１２ｂ  閉塞部                        １３  集水容器部
１３ａ、１７ａ  取付孔                １３ｂ、１７ｂ  切り込み
１４  排出部                          １５  排水ホース
１６  容器部本体                      １６ａ  係合部
１６ｄ  凹部                          １７  取付体  
１７ｃ  被係合部                      １７ｅ  覆い部
【図１】
2005256428.tif 000003
【図２】
2005256428.tif 000004
【図３】
2005256428.tif 000005
【図４】
2005256428.tif 000006
【図５】
2005256428.tif 000007
【図６】
2005256428.tif 000008
【図７】
2005256428.tif 000009
【図８】
2005256428.tif 000010
【図９】
2005256428.tif 000011
【図１０】
2005256428.tif 000012
【図１１】
2005256428.tif 000013
【図１２】
2005256428.tif 000014
【図１３】
2005256428.tif 000015
【図１４】
2005256428.tif 000016
【図１５】
2005256428.tif 000017